(57)【要約】      （修正有）【課題】火炎漏出を有効に防止できる防火ダンパを提供する。【解決手段】回転軸７の軸方向が長手方向となるように配設され、中央部が回転軸７に固定される羽根８〜１１と、上片１６ａと、枠体１に固定されない下片１６ｃとを有し、開く方向にばね力を発生するばね蝶番１６と、基端部が、下片１６ｃに固定され、先端縁が、羽根の一端部を閉じる方向に押圧し、羽根の両側部に配設され、隙間ｔを閉鎖する遮炎板１５と、温度ヒューズとを備え、温度ヒューズは、高温時に破断しばね蝶番のばね力を開放し、羽根と遮炎板とが同時に閉鎖して隙間ｔからの漏炎を防止する。【選択図】図３
0003226050.tif 000002
【実用新案登録請求の範囲】
【請求項１】
枠体と、
前記枠体に回転自在に支持される複数の回転軸と、
前記複数の回転軸の軸方向が長手方向となるように配設され、中央部が前記複数の回転軸に固定される複数の羽根と、
前記枠体に固定される一方の片と、前記枠体に固定されない他方の片とを有し、常時開く方向にばね力を発生するばね蝶番と、
基端部が、前記他方の片に固定され、且つ、先端縁が、前記複数の羽根の一端部を前記複数の羽根が閉じる方向に押圧し、前記複数の羽根の両側部に配設され、前記枠体と前記複数の羽根の両脇との間に形成される隙間を閉鎖する遮炎板と、
通常時において、前記ばね蝶番のばね力に抗して、前記複数の回転軸を中心として前記複数の羽根を開く方向に引き寄せることにより、前記複数の羽根のそれぞれの一端部が前記遮炎板の先端縁を押圧し、前記ばね蝶番を閉じるように、前記枠体と前記複数の羽根の少なくとも一つとに連結される温度ヒューズとを備え、
前記温度ヒューズは、高温時に溶融して破断し、前記ばね蝶番のばね力を開放し、前記複数の羽根と前記遮炎板とが同時に閉鎖して、前記隙間からの漏炎を防止するように構成したことを特徴とする防火ダンパ。
【請求項２】
前記複数の羽根の一端部と他端部とは、それぞれ逆向きにコ字状に折り曲げられ、閉鎖時に、隣接する羽根の一端部と他端部とが、噛み合うように構成されている請求項１記載の防火ダンパ。
【考案の詳細な説明】
【技術分野】
【０００１】
本発明は、火災時において複数の羽根が閉じ、延焼を防止する防火ダンパに関するものである。
【背景技術】
【０００２】
例えば、特許文献１（特開２０１８−１２８１８２号公報）に示されるように、枠体内に複数の羽根を回転自在に支持し、火災などの高温時に、これらの羽根が閉じることにより、火炎の通行を妨害し、延焼を防止する装置が知られている。
【０００３】
確かに、複数の羽根が閉鎖すると、一定の延焼防止効果は得られる。しかしながら、後に図を参照しながら、述べるように、この種の防火ダンパでは、複数の羽根の両脇に形成される隙間から、火炎が漏出するおそれがあった。
【特許文献１】特開２０１８−１２８１８２号公報
【考案の開示】
【考案が解決しようとする課題】
【０００４】
従来技術の欠陥を修正すべく検討を重ねた結果、本考案の完成に至ったものである。即ち、本考案は、火炎漏出を有効に防止できる防火ダンパを提供することを目的とする。
【課題を解決するための手段】
【０００５】
第１の考案に係る防火ダンパは、枠体と、枠体に回転自在に支持される複数の回転軸と、複数の回転軸の軸方向が長手方向となるように配設され、中央部が複数の回転軸に固定される複数の羽根と、枠体に固定される一方の片と、枠体に固定されない他方の片とを有し、常時開く方向にばね力を発生するばね蝶番と、基端部が、他方の片に固定され、且つ、先端縁が、複数の羽根の一端部を複数の羽根が閉じる方向に押圧し、複数の羽根の両側部に配設され、枠体と複数の羽根の両脇との間に形成される隙間を閉鎖する遮炎板と、通常時において、ばね蝶番のばね力に抗して、複数の回転軸を中心として複数の羽根を開く方向に引き寄せることにより、複数の羽根のそれぞれの一端部が遮炎板の先端縁を押圧し、ばね蝶番を閉じるように、枠体と複数の羽根の少なくとも一つとに連結される温度ヒューズとを備え、温度ヒューズは、高温時に溶融して破断し、ばね蝶番のばね力を開放し、複数の羽根と遮炎板とが同時に閉鎖して、隙間からの漏炎を防止するように構成してある。
【０００６】
この構成において、通常時では、温度ヒューズは、破断しておらず、複数の羽根の少なくとも一つを枠体側に引き寄せ、複数の羽根は、開いた状態にある。その結果、遮炎板及びばね蝶番は、枠体と複数の羽根の両脇との間に形成される隙間を閉鎖している。
【０００７】
さて、火災が発生するなど、温度が上昇し、高温時となると、温度ヒューズが破断し、上述した釣り合いの関係が壊れる。そうなると、ばね蝶番のばね力が一気に開放され、複数の羽根が回転軸を中心として、回転し、枠体のほとんどの部分は閉鎖される。
【０００８】
しかも、遮炎板には、ばね蝶番の他方の片が固定されているため、遮炎板の先端縁は、常に複数の羽根の一端部と一体化されており、複数の羽根が回転し姿勢を変更するのと、同時並行して、枠体と複数の羽根の両脇との間に形成される隙間を閉鎖し続ける。その結果、従来技術のように、複数の羽根の両脇に形成される隙間から、火炎が漏出することが起こりえない。言い換えれば、火炎の通行が一切遮断され、延焼を効果的に防止することができる。
【０００９】
第２の考案に係る防火ダンパは、第１の考案に加え、複数の羽根の一端部と他端部とは、それぞれ逆向きにコ字状に折り曲げられ、閉鎖時に、隣接する羽根の一端部と他端部とが、噛み合うように構成されている。
【００１０】
この構成により、隣接する羽根の端部同士が噛み合って、羽根と羽根との間に隙間が生じず、漏炎が有効に防止される。即ち、延焼防止効果が一層高まることになる。
【考案の効果】
【００１１】
本考案によれば、複数の羽根の両脇に形成される隙間からの漏炎を確実に防止して、高い延焼防止効果が得られる。しかも、遮炎板の追加により、複数の羽根の回転動作が妨げられることがなく、むしろ、ばね蝶番のばね力が遮炎板を介して、複数の羽根に直接的に伝達される結果となるため、円滑な防火動作が得られる。
【考案を実施するための最良の形態】
【００１２】
（実施の形態１）
以下図面を参照しながら、本考案の実施の形態を説明する。図１は、本考案の実施の形態１における防火ダンパの縦断面図（通常時）、図２は、本考案の実施の形態１における防火ダンパの水平断面図（通常時）、図３は、本考案の実施の形態１における防火ダンパの一部拡大図、図４は、本考案の実施の形態１における防火ダンパの縦断面図（火災時）、図５は、本考案の実施の形態１における防火ダンパの水平断面図（火災時）である。
【００１３】
（通常時）
まず、図１、図２を参照しながら、通常時における状態を説明する。
枠体１は、通常躯体の開口部やダクト等に取り付けられる。通常、図１において、枠体１の左側が室外側であり、右側が室内側であるが、必要とあれば、逆に取り付けることも可能である。
【００１４】
枠体１の上方には、上側リブ２が固定ボルト３を用いて固定されている。枠体１の下方には、下側リブ４が固定ボルト５を用いて固定されている。このように、上側リブ２及び下側リブ４は、いずれも枠体１と一体化されている。
【００１５】
ここで通常時には、防火ダンパとはいえども、それを介する通気を確保する必要があるが、上側リブ２と下側リブ４の間の空間が、通常の通気を確保する領域である。
【００１６】
本例では、この領域において、図１の紙面垂直方向を軸方向とする４本の回転軸７が、枠体１に対して回転自在に支持される。各回転軸７には、それぞれ羽根８〜１１の中央部が固定される。
【００１７】
各羽根８〜１１の一端部８ａ〜１１ａ（本例では下側の端部）は、先端が室内側を向くようにコ字状に折り曲げられている。また、他端部８ｂ〜１１ｂ（本例では上側の端部）は、先端が室外側を向くようにコ字状に折り曲げられている。これにより、後述するように、高温時に各羽根８〜１１が閉じると、隣接する羽根の一端部と他端部とが互いに噛み合うようになっている。
【００１８】
下側リブ４の上部には、温度ヒューズ６の基端部が固定され、温度ヒューズ６の先端部は、最も下方の羽根１１に固定される。
【００１９】
さて、図２及び図３の仮想線（二点鎖線）で示すように、通常時には、枠体１に左右一対に設けられる、ばね蝶番１６は、閉じられた状態にある。ばね蝶番１６は、枠体１に固定され動かない（一方の）上片１６ａと、枠体１に固定されない（他方の）下片１６ｃとを有し、ばね蝶番１６の軸１６ｂには、ばね（図示せず）が内蔵されており、常時開く方向にばね力を発生する。
【００２０】
ばね蝶番１６の下片１６ｃには、枠体１に左右一対に設けられ、上記領域に位置し、上下方向が長手方向となる矩形の板から構成される、遮炎板１５の基端部が固定される。つまり、遮炎板１５と下片１６ｃとは、一体的であり、同じように開閉動作を行う。そして、通常時には、両者は最も閉じた状態にある。
【００２１】
図１に示すように、通常時には、側方から見ると、遮炎板１５が最も閉じているため、その厚さは、薄く見える。遮炎板１５の先端縁１５ａは、常に、各羽根８〜１１の一端縁８ａ〜１１ａを羽根８〜１１が閉じる方向に押圧している。
【００２２】
しかしながら、通常時には、下側リブ６を介して、枠体１と一体的に固定される、温度ヒューズ６の先端部が、最も低い羽根１１と連結されており、この状態では、羽根８〜１１が最も開いた状態となっている。
【００２３】
言い換えると、温度ヒューズ６は、通常時において、ばね蝶番１６のばね力に抗して、回転軸７を中心として羽根８〜１１を開く方向に引き寄せており、ばね蝶番１６のばね力と、温度ヒューズ６の張力とが、釣り合った状態にある。
【００２４】
ここで、本例では、羽根８〜１１の姿勢を安定させるため、枠体１から羽根８〜１１に向けて、受板１ａを突設し、通常時には、羽根８〜１１の他端部８ｂ〜１１ｂを受板１ａに当接させている。しかしながら、受板１ａは、省略しても差し支えない。
【００２５】
また、通常時では、温度ヒューズ６は、破断しておらず、羽根１１を図１の下向きに引き寄せ、羽根８〜１１は、開いた状態にあるが、この際、遮炎板１５及びばね蝶番１６の下片１６ｃは、図３の仮想線位置において、枠体１と羽根８〜１１の両脇との間に形成される隙間ｔを閉鎖している。
【００２６】
（高温時）
一方、図３の実線位置、図４（矢印参照。）及び図５に示すように、火災が発生するなど、温度が上昇し、高温時となると、温度ヒューズ６の脆弱部分が溶融して破断しその張力はゼロになる。即ち、上述した釣り合いの関係が壊れる。そうなると、ばね蝶番１６のばね力が一気に開放され、羽根８〜１１が回転軸７を中心として、回転し、枠体１のほとんどの部分は閉鎖される。この際、図４を図１と比較すれば明らかなように、遮炎板１５の見かけの厚さが増加することになる。
【００２７】
遮炎板１５の基端部には、ばね蝶番１６の下片１６ｃが固定されているため、遮炎板１５の先端縁は、常に羽根８〜１１の一端部８ａ〜１１ａと一体化しており、羽根８〜１１が回転し姿勢を変更するのと、同時並行して、枠体１と羽根８〜１１の両脇との間に形成される隙間ｔを閉鎖し続ける。
【００２８】
図３に拡大して示されているように、隙間ｔから火炎は漏出せず、火炎の通行が一切遮断され、延焼が効果的に防止される。
【図面の簡単な説明】
【００２９】
【図１】本考案の実施の形態１における防火ダンパの縦断面図（通常時）
【図２】本考案の実施の形態１における防火ダンパの水平断面図（通常時）
【図３】本考案の実施の形態１における防火ダンパの一部拡大図
【図４】本考案の実施の形態１における防火ダンパの縦断面図（火災時）
【図５】本考案の実施の形態１における防火ダンパの水平断面図（火災時）
【符号の説明】
【００３０】
１  枠体
１ａ  受板
２  上側リブ
３、５  固定ボルト
４  下側リブ
６  温度ヒューズ
７  回転軸
８〜１１  羽根
８ａ〜１１ａ  一端部
８ｂ〜１１ｂ  他端部
１５  遮炎板
１５ａ  先端縁
１６  ばね蝶番
１６ａ  上片
１６ｂ  軸
１６ｃ  下片
ｔ  隙間
【図１】
0003226050.tif 000003
【図２】
0003226050.tif 000004
【図３】
0003226050.tif 000005
【図４】
0003226050.tif 000006
【図５】
0003226050.tif 000007